(57)【要約】【課題】ディスプレイユニットが機器本体に接続した場合、ディスプレイユニットが機器本体から離脱した場合の不都合を解消する。【解決手段】コンピュータ１０は、ディスプレイユニット２がコンピュータ本体１に対して着脱可能であり且つ離脱の状態で相互に無線通信が可能な電子機器である。ＯＳに管理されるユーティリティは、所定の条件が整った場合に、ディスプレイユニット２がコンピュータ本体１に接続した場合に、所定の解像度に切り替える。また、ディスプレイユニット２は、ディスプレイユニット２自身がコンピュータ本体１から離脱した場合に、ディスプレイユニット２単体で低い解像度に切り替える。【選択図】      図１
2007272366.tif 000002
【特許請求の範囲】
【請求項１】
ディスプレイユニットが機器本体に対して着脱可能であり且つ離脱の状態で相互に無線通信が可能な電子機器であって、
前記ディスプレイユニットが前記機器本体に接続された場合に、前記ディスプレイユニットが備える認証情報を照合する照合手段と、
前記照合手段によって前記認証情報の照合が完了した場合は、前記前記ディスプレイユニットの解像度を前記認証情報に対応した予め設定されている解像度に切り替える切り替え手段と、
を具備することを特徴とする電子機器。
【請求項２】
請求項１記載の電子機器において、
前記ディスプレイユニットが前記機器本体に接続された場合に前記ディスプレイユニットの解像度を切り替えるか否かの指定を可能とする設定手段を更に具備することを特徴とする電子機器。
【請求項３】
請求項１記載の電子機器において、
前記ディスプレイユニットが前記機器本体から離脱した場合に前記ディスプレイユニットの解像度を低い解像度に切り替えることを特徴とする電子機器。
【請求項４】
請求項３記載の電子機器において、
前記ディスプレイユニットが前記機器本体から離脱した場合に前記ディスプレイユニットの解像度を低い解像度に切り替えるか否かの指定を可能とする設定手段を更に具備することを特徴とする電子機器。
【請求項５】
請求項１記載の電子機器において、
前記切り替え手段は、前記ディスプレイユニットが前記機器本体に接続した場合に、前記機器本体と前記ディスプレイユニットとが通信を行っていれば、前記ディスプレイユニットの解像度を切り替えることを禁止することを特徴とする電子機器。
【請求項６】
請求項３記載の電子機器において、
前記切り替え手段は、前記ディスプレイユニットが前記機器本体から離脱した場合に、前記機器本体と前記ディスプレイユニットとが通信を行っていれば、前記ディスプレイユニットの解像度を切り替えることを禁止することを特徴とする電子機器。
【請求項７】
請求項１記載の電子機器において、
前記切り替え手段は、前記照合手段によって前記認証情報の照合が完了した場合は、前記認証情報に対応した予め設定されているセキュリティレベルに切り替えることを特徴とする電子機器。
【請求項８】
請求項７記載の電子機器において、
前記ディスプレイユニットが前記機器本体から離脱した場合に当該電子機器のセキュリティレベルを最低のセキュリティレベルへ移行することを特徴とする電子機器。
【請求項９】
ディスプレイユニットが機器本体に対して着脱可能であり且つ離脱の状態で相互に無線通信が可能な電子機器に適用される動作制御方法であって、
前記ディスプレイユニットが前記機器本体に接続された場合に、前記ディスプレイユニットが備える認証情報を照合し、前記認証情報の照合が完了した場合は、前記認証情報に対応した予め設定されている解像度に切り替えることを特徴とする動作制御方法。
【請求項１０】
請求項９記載の動作制御方法において、
前記ディスプレイユニットが前記機器本体に接続された場合に前記ディスプレイユニットの解像度を切り替えるか否かの指定を可能とすることを特徴とする動作制御方法。
【請求項１１】
請求項９記載の動作制御方法において、
前記ディスプレイユニットが前記機器本体に接続した場合に、前記機器本体と前記ディスプレイユニットとが通信を行っていれば、前記ディスプレイユニットの解像度を切り替えることを禁止することを特徴とする動作制御方法。
【請求項１２】
請求項９記載の動作制御方法において、
前記認証情報の照合が完了した場合は、前記認証情報に対応した予め設定されているセキュリティレベルに切り替えることを特徴とする動作制御方法。
【請求項１３】
請求項１０記載の電子機器において、
前記ディスプレイユニットが前記機器本体から離脱した場合に当該電子機器のセキュリティレベルを最低のセキュリティレベルへ移行することを特徴とする動作制御方法。
【請求項１４】
請求項９記載の動作制御方法において、
前記ディスプレイユニットが前記機器本体から離脱した場合に、前記ディスプレイユニットの解像度を現在の解像度より低い解像度に切り替えることを特徴とする動作制御方法。
【発明の詳細な説明】
【技術分野】
【０００１】
本発明は、ディスプレイユニットが機器本体に対して着脱可能な電子機器及びその動作制御方法に関する。
【背景技術】
【０００２】
ノートブック型パーソナルコンピュータのような電子機器の中には、ディスプレイユニットが機器本体に対して着脱可能であり且つ離脱の状態で相互に無線通信が可能なものがある。例えば、特開２００３−３４５４６３号公報には、本体に対して着脱可能で無線タブレットパーソナルコンピュータとして作動するディスプレイを備えたノートブック型コンピュータが開示されている。この種の電子機器は、その動作モードとして、通常のモードのほかに電力消費量を抑える省電力モード（スリープモード、ハイバネーションモードなど）を備えているのが一般的である。例えば、ユーザによる入力操作が一定時間継続したような場合には、電子機器の動作モードが省電力モードへ移行し、電子機器の電源がオフの状態となる機能を備えていることが多い。これにより、無駄な電力消費を低減することが可能となる。
【特許文献１】特開２００３−３４５４６３号公報
【発明の開示】
【発明が解決しようとする課題】
【０００３】
しかしながら、ディスプレイユニットが機器本体から離脱した後もディスプレイユニットは、機器本体と接続されていたときと同じ解像度で動作し、電力消費が大きい。また、ディスプレイユニットを機器本体に接続する場合には、特に認証等を行わずに接続されている。
【０００４】
本発明は上記実情に鑑みてなされたものであり、ディスプレイユニットが機器本体から離脱した場合の不都合を解消する電子機器及びその動作制御方法を提供することを目的とする。
【課題を解決するための手段】
【０００５】
上記目的を達成するために、本発明の一態様によれば、ディスプレイユニットが機器本体に対して着脱可能であり且つ離脱の状態で相互に無線通信が可能な電子機器であって、前記ディスプレイユニットが前記機器本体に接続された場合に、前記ディスプレイユニットが備える認証情報を照合する照合手段と、前記照合手段によって前記認証情報の照合が完了した場合は、前記認証情報に対応した予め設定されている解像度に切り替える切り替え手段とを具備することを特徴とする電子機器が提供される。
【発明の効果】
【０００６】
本発明によれば、ディスプレイユニットが機器本体から離脱した場合の不都合を解消することができる。
【発明を実施するための最良の形態】
【０００７】
以下、図面を参照して、本発明の実施の形態を説明する。
【０００８】
まず図１〜図４を参照して、本発明の一実施形態に係る電子機器の構成について説明する。この電子機器はバッテリ駆動可能なタブレット型のデタッチャブル（離脱可能）・パーソナルコンピュータ１０として実現されている。なお、本発明のデタッチャブル・パーソナルコンピュータ１０は、当該コンピュータ１０からディスプレイユニット２を離脱した場合に、解像度を低い解像度に自動的に切り替えることで消費電力を低減させ、当該コンピュータ１０にディスプレイユニット２を接続した場合に、認証処理を行い、セキュリティを確保することができるものである。
【０００９】
図１はデタッチャブル・パーソナルコンピュータ１０のディスプレイユニットを開いた状態における斜視図である。このコンピュータ（電子機器）１０は、コンピュータ本体（電子機器本体）１と、ディスプレイユニット２とから構成されている。ディスプレイユニット２は、コンピュータ１０の一部の機器ユニットであり、コンピュータ本体１から取り外された状態でバッテリ駆動を行い、当該コンピュータ本体１から独立に駆動可能である。
【００１０】
コンピュータ本体１には、さらにサブディスプレイ１１、キーボード１２、スピーカ５Ｂ、マイク４Ｂ、タッチパッド７、無線接続部８Ｂ等が配置されている。
【００１１】
ディスプレイユニット２には、ＬＣＤ（Liquid Crystal Display）１７から構成される表示装置が組み込まれており、そのＬＣＤ１７の表示画面はディスプレイユニット２のほぼ中央に位置されている。ここでＬＣＤ１７の例えば前面にはタッチパネル３２（図３参照）が配置されている。
【００１２】
ディスプレイユニット２は、ヒンジ６により、コンピュータ本体１に対して開放位置と閉塞位置との間を回動自在および回転自在に取り付けられている。ディスプレイユニット２はまた、ヒンジ６により、コンピュータ本体１に対して着脱が可能なように当該コンピュータ本体１と結合される。
【００１３】
ディスプレイユニット２には、さらにスピーカ５Ａ、マイク４Ａ、無線接続部８Ａ等が配置されている。
【００１４】
またディスプレイユニット２は、ヒンジ部６を軸として、Ｙ軸を中心に回転可能である。また、Ｘ軸を中心として、可倒可能である。例えば、ディスプレイユニット２の表示面を上側にして可倒した場合は、図２に示すようなタブレットスタイルとなる。このようにタブレットスタイルとした場合においては、例えば、２人の利用者がディスプレイユニット２を見て利用する形態が考えられる。
【００１５】
図３はコンピュータ本体１のシステム構成を示すブロック図である。コンピュータ本体１は、ＣＰＵ１１１、ノースブリッジ１１２、主メモリ１１３、グラフィクスコントローラ１１４、サブディスプレイ１１及びサウスブリッジ１１５を有する。コンピュータ本体１はまた、ＢＩＯＳ−ＲＯＭ１２０、ハードディスクドライブ（ＨＤＤ）１３０、光ディスクドライブ（ＯＤＤ）１４０、ＬＡＮコントローラ１５１、無線（wireless）ＬＡＮコントローラ（Ｗ−ＬＡＮコントローラ）１５２、無線接続部８Ｂ、カードコントローラ１５３、エンベデッドコントローラ／キーボードコントローラＩＣ（ＥＣ／ＫＢＣ）１６０、電源回路１７０、及び接続検出部１８１を有する。
【００１６】
ＣＰＵ１１１は、コンピュータ１０の動作を制御するプロセッサである。このＣＰＵ１１１は、ブートデバイス、例えばＨＤＤ１３０から主メモリ１１３にロードされるオペレーティングシステム（ＯＳ）を実行する。またＣＰＵ１１１は、各種アプリケーションプログラムを実行する。またＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００１７】
ノースブリッジ１１２は、ＣＰＵ１１１のローカルバスとサウスブリッジ１１５との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００１８】
グラフィクスコントローラ１１４は、コンピュータ１０のディスプレイモニタとして使用されるＬＣＤ１７およびサブディスプレイ１１を制御する表示コントローラである。グラフィクスコントローラ１１４はビデオメモリ（ＶＲＡＭ）１１４ａを有しており、当該ＶＲＡＭ１１４ａに書き込まれた表示データから、ＬＣＤ１７に表示すべき表示イメージを形成する映像信号を生成する。
【００１９】
サウスブリッジ１１５は、ＢＩＯＳ−ＲＯＭ１２０へのアクセスを制御する。ＢＩＯＳ−ＲＯＭ１２０はフラッシュＲＯＭのような書き換え可能な不揮発性メモリである。前記したようにＢＩＯＳ−ＲＯＭ１２０は、システムＢＩＯＳ、ディスプレイユニット２のＩＤ情報（識別情報）を格納する。またサウスブリッジ１１５は、ＨＤＤ１３０及びＯＤＤ１４０などのディスクドライブ（Ｉ／Ｏデバイス）を制御する。
【００２０】
サウスブリッジ１１５は、ＰＣＩ（Peripheral Component Interconnect）バス２及びＬＰＣ（Low Pin Count）バス３にそれぞれ接続される。サウスブリッジ１１５は、ＰＣＩバス２及びＬＰＣバス３上の各デバイスを制御する。ＰＣＩバス２はシステムバスとして用いられる。
【００２１】
ＨＤＤ１３０は、各種ソフトウェア及びデータを格納するストレージ装置である。ＨＤＤ１３０は、モータにより回転される磁気記録メディア（磁気ディスク）へ／からのヘッド（磁気ヘッド）によるデータの書き込み／読み出しを行う。ＨＤＤ１３０には、オペレーティングシステム（ＯＳ）が予め格納されている。ＯＳはＢＩＯＳ−ＲＯＭ１２０に格納されているシステムＢＩＯＳに従って主メモリ１１３にロードされることにより、ＣＰＵ１１１によって実行される。
【００２２】
ＯＤＤ１４０はコンパクトディスク（ＣＤ）やデジタル多用途ディスク（ＤＶＤ）のような光記録メディア（光ディスク）をモータにより回転駆動するドライブユニットである。ＯＤＤ１４０は光ディスクから／へのヘッド（光ヘッド）によるデータの読み出し／書き込みを行う。
【００２３】
ＰＣＩバス２には、ＬＡＮコントローラ１５１、Ｗ−ＬＡＮコントローラ１５２及びカードコントローラ１５３が接続されている。ＬＡＮコントローラ１５１は、コンピュータ本体１をＬＡＮ（有線ＬＡＮ）に接続するためのネットワークコントローラである。Ｗ−ＬＡＮコントローラ１５２は、コンピュータ本体１を無線ＬＡＮに接続するためのネットワークコントローラである。カードコントローラ１５３は、当該カードコントローラ１５３と接続されるカードスロットに挿入されたＰＣカード或いはＳＤ（Secure Digital）カードのようなカードデバイスを制御する。
【００２４】
ＥＣ／ＫＢＣ１６０は、電源管理のためのエンベデッドコントローラと、キーボード（ＫＢ）１３、スピーカ５Ｂ、マイク４Ｂ及びタッチパッド１６などを制御するキーボードコントローラとが単一チップに集積されたマイクロコンピュータである。ＥＣ／ＫＢＣ１６０は、電源回路１７０と協調して動作することにより、ユーザによるパワーボタンスイッチ１４の操作に応答して、コンピュータ１０を電源オンする電源制御機能を有している。電源回路１７０は、リチャージャブルなバッテリ１７１または高電圧電源としてのＡＣアダプタ１７２を介して供給されるＤＣ電源を用いて、コンピュータ本体１の各要素に印加すべきシステム電源電圧を生成する。ＡＣアダプタ１７２は、ＡＣ電源をＤＣ電源に変換する。
【００２５】
接続検出部１８１は、コンピュータ本体１に対するディスプレイユニット２の着脱の状態を監視するために使用されるものであり、例えばディスプレイユニット２がコンピュータ本体１に接続されている状態においてはロー（low）レベルの信号を発生し、ディスプレイユニット２がコンピュータ本体１から離脱している状態においてはハイ（high）レベルの信号を発生する。このような接続／離脱を識別する信号は、ＥＣ／ＫＢＣ１６０を経由してＢＩＯＳへ伝えられるか、もしくはＥＣ／ＫＢＣ１６０を経由せずにＢＩＯＳへ伝えられる。接続／離脱の状態のＢＩＯＳへの通知は、レジスタ等の記憶手段を介して行われる。例えば接続検出部１８１から発生される信号に応じた情報がサウスブリッジ１１５などに設けられた所定のレジスタに書き込まれると、ＢＩＯＳがその情報を読み出して接続／離脱の変化を把握し、ＯＳに対して必要な処理（動作モードの変更など）を要求する。
【００２６】
図４はディスプレイユニット２のシステム構成を示すブロック図である。ディスプレイユニット２は、図１に示すＬＣＤ１７、無線接続部８Ａ、スピーカ５Ａ、マイク４Ａに加えて、ＬＣＤコントローラ３１、タッチパネル３２、タッチパネルコントローラ３３、主コントローラ３４、フラッシュＲＯＭ（ＦＲＯＭ：ディスプレイＲＯＭ）３５、シンクロナス（synchronous）ＤＲＡＭ（ＳＤＲＡＭ）３６、Ｗ−ＬＡＮコントローラ３７、電源回路３８、バッテリ３９及び接続検出部１８２を有する。
【００２７】
ＬＣＤコントローラ３１は、ＬＣＤ１７を制御する表示コントローラである。ＬＣＤコントローラ３１は、ディスプレイユニット２がコンピュータ本体１から取り外された状態で単独使用される場合に動作する。ＬＣＤコントローラ３１はビデオメモリ（ＶＲＡＭ）３１０を有しており、当該ＶＲＡＭ３１０に書き込まれた表示データから、ＬＣＤ１７に表示すべき表示イメージを形成する映像信号を生成する。
【００２８】
タッチパネル３２は、例えばユーザが指でタッチすることにより位置指示が可能な入力面をなす。タッチパネル３２は透明であり、ＬＣＤ１７の例えば前面に配置される。タッチパネルコントローラ３３は、ユーザが指でタッチしたタッチパネル３２上の位置を検出する。これによりユーザは、例えば主コントローラ３４の制御のもとでＬＣＤコントローラ３１によってＬＣＤ１７に表示される様々なメニュー等に対して指を用いてダイレクトに指示入力することができる。なお、タッチパネル３２及びタッチパネルコントローラ３３に代えて、例えばペンによる位置指示が可能なタブレット（デジタイザ）及びタブレットコントローラ（デジタイザコントローラ）を用いても良い。
【００２９】
主コントローラ３４は、ディスプレイユニット２全体の動作を制御する。主コントローラ３４は、例えばＦＲＯＭ３５に格納されている各種プログラムを実行するＣＰＵと、Ｉ／Ｏコントローラとから構成される。Ｉ／Ｏコントローラは、ＬＣＤコントローラ３１、タッチパネルコントローラ３３及びＷ−ＬＡＮコントローラ３７等との間のデータ入出力を制御する。ＳＤＲＡＭ３６の一部の領域は、主コントローラ３４内のＣＰＵのワークエリアとして用いられる。本実施形態において、ＦＲＯＭ３５に格納されているプログラムは、インターネットビューア用のプログラム（いわゆるブラウザ）を含む。さらにＦＲＯＭ３５は、ディスプレイユニット２のＩＤ情報、解像度情報、セキュリティ情報等を格納している（後述）。
【００３０】
Ｗ−ＬＡＮコントローラ３７は、ディスプレイユニット２を無線ＬＡＮに接続するためのネットワークコントローラである。このＷ−ＬＡＮコントローラ３７により、無線接続部８Ａを介して主コントローラ３４はインターネットビューア用のプログラムに従い、ディスプレイユニット２を独立のインターネットビューアとして機能させることができる。また、主コントローラ３４は、Ｗ−ＬＡＮコントローラ３７によりコンピュータ本体１内のＷ−ＬＡＮコントローラ１５２および無線接続部８Ｂを介して無線による通信を行うことで、ディスプレイユニット２をコンピュータ１０の一部として機能させることもできる。
【００３１】
なお、Ｗ−ＬＡＮコントローラ３７及び１５２による無線通信に代えて、ＵＷＢ（超広帯域無線）コントローラのような他の無線通信デバイスを用いることも可能である。また、コンピュータ本体１及びディスプレイユニット２をコネクタにより電気的に結合するならば、例えばＰＣＩバス２或いはＬＡＮ回線を介してコンピュータ本体１及びディスプレイユニット２間で通信を行うことも可能である。
【００３２】
電源回路３８は、ディスプレイユニット２内の各要素の駆動用の電源電圧（システム電源電圧）を生成する。電源回路３８は、ディスプレイユニット２がコンピュータ本体１と結合されている状態では、当該コンピュータ本体１の電源回路１７０により生成されるシステム電源電圧を受けて動作する。電源回路３８はまた、ディスプレイユニット２がコンピュータ本体１から取り外されている状態では、バッテリ３９から印加される電圧を受けて動作する。バッテリ３９は、リチャージャブルなバッテリである。
【００３３】
接続検出部１８２は、コンピュータ本体１に対するディスプレイユニット２の着脱の状態を監視するために使用されるものであり、例えばディスプレイユニット２がコンピュータ本体１に接続されている状態においてはロー（low）レベルの信号を発生し、ディスプレイユニット２がコンピュータ本体１から離脱している状態においてはハイ（high）レベルの信号を発生する。このような接続／離脱の状態を識別する信号は、例えば主コントローラ３４へ伝えられる。
【００３４】
図５、６はディスプレイユニット２がコンピュータ本体１から離脱した場合の信号の流れを説明するための図である。図５はディスプレイユニット２の接続がＥＣ／ＫＢＣ１６０を経由してＢＩＯＳに伝えられる場合の例を示しており、図６はディスプレイユニット２の離脱が主コントローラ３４に伝えられる場合の例を示している。
【００３５】
図５の例では、接続検出部１８１は、ディスプレイユニット２がコンピュータ本体１から離脱したことを検出すると、離脱を示す信号をＥＣ／ＫＢＣ１６０へ伝える。これにより、ＥＣ／ＫＢＣ１６０は、離脱を示す信号をレジスタ等を介してＢＩＯＳ１２１へ伝える。ＢＩＯＳ１２１は、レジスタ等に書き込まれた情報を読み出して離脱への状態変化を認識すると、その旨をＯＳに伝えて必要な処理を要求する。ＯＳ１２２に管理されるユーティリティ２００は、ディスプレイユニット２の離脱に関する設定内容などを確認した上で、必要な処理を行う。
【００３６】
図７は、図５中に示されるユーティリティ２００の機能構成の例を示すブロック図である。ユーティリティ２００には、設定部２０１、制御部２０２などの各種機能が備えられる。
【００３７】
設定部２０１は、ユーザインタフェースを通じてユーザが入力する各種の情報の設定を行う機能である。この設定部２０１においては、例えば、所定の条件が整った場合に切り替える「ディスプレイユニット２の解像度」の設定などを行えるほか、ディスプレイユニット２がコンピュータ本体１から離脱した場合に、「ディスプレイユニット２の解像度」を切り替えるか否かの設定を行えるようになっている。
【００３８】
制御部２０２は、設定部２０１に設定されている設定内容に従って必要な処理を行う機能である。この制御部２０２は、例えば、所定の条件が整った場合に「ディスプレイユニット２の解像度」を切り替える制御、ディスプレイユニット２がコンピュータ本体１から離脱した場合に、「ディスプレイユニット２の解像度」を切り替える制御等を行う。
【００３９】
ディスプレイユニット２がコンピュータ本体１から離脱した場合に、「ディスプレイユニット２の解像度」を切り替えるか否かの設定を行う際には、例えば、当該切り替えの機能をディセーブルの状態に変える。これにより、ディスプレイユニット２がコンピュータ本体１から離脱した場合に、「ディスプレイユニット２の解像度」を切り替えられず、ディスプレイユニット２をコンピュータ本体１から離脱した状態でも同じ解像度で使用したい場合に対応することができる。
【００４０】
次に、図８を参照して、図７中に示されるユーティリティ２００の設定部２０１により実現される設定画面の例について説明する。例えばコンピュータ１０のユーザが４人（ユーザ１〜４）いる場合に、各ユーザは、それぞれ各自で個別のディスプレイユニットを所持しているものとする。そして、各ユーザが所持するディスプレイユニットに対し、ＩＤ番号を割り当てる。例えばユーザ１が所持するディスプレイユニットにはＩＤ：００１を割り当て、ユーザ２が所持するディスプレイユニットにはＩＤ：００２を割り当て、ユーザ３が所持するディスプレイユニットにはＩＤ：００３を割り当て、ユーザ４が所持するディスプレイユニットにはＩＤ：００４を割り当てる。
【００４１】
続いて、コンピュータ本体１に各ディスプレイユニット（ＩＤ：００１〜００４）が接続された場合に切り替えるディスプレイの解像度を設定する。例えば、ＩＤ：００１、００２にはＸＧＡ、ＩＤ：００３、００４にはＳＶＧＡとする。なお、コンピュータ本体１から各ディスプレイユニット（ＩＤ：００１〜００４）が離脱した場合は、接続された場合の解像度より１つ低い解像度に切り替える。例えば、ディスプレイユニット（ＩＤ：００１）がコンピュータ本体１から離脱した場合は、接続された場合の解像度がＸＧＡであるので、ＸＧＡより１つ解像度の低いＶＧＡに切り替えて、ディスプレイユニット（ＩＤ：００１）のバッテリの消費を押さえる。
【００４２】
さらに、各ディスプレイユニット（ＩＤ：００１〜００４）からコンピュータ本体１にアクセスできる権限を設定する。例えば、ディスプレイユニット（ＩＤ：００１）には管理者（権限）、ディスプレイユニット（ＩＤ：００２）にはレベル１、ディスプレイユニット（ＩＤ：００３）にはレベル２、ディスプレイユニット（ＩＤ：００４）にはレベル３というように設定する。この場合、管理者として設定されたディスプレイユニット（ＩＤ：００１）が接続された場合は、ユーザは、すべてのファイルの操作やアクセスが許可される。また、レベル１として設定されたディスプレイユニット（ＩＤ：００２）が接続された場合は、レベル１として設定されているファイルの操作やアクセスが許可される。同様に、レベル２として設定されたディスプレイユニット（ＩＤ：００３）が接続された場合は、レベル２として設定されているファイルの操作やアクセスが許可される。そして、レベル３として設定されたディスプレイユニット（ＩＤ：００４）が接続された場合は、レベル３として設定されているファイルの操作やアクセスが許可される。例えば、一般家庭でコンピュータ本体１および各ディスプレイユニット（ＩＤ：００１〜００４）を利用する場合、管理者は父親、レベル１は母親、レベル２および３は子供というように割り当てを行い、子供にアクセスさせないファイル等には、管理者やレベル１のみでアクセスできるように設定する。
【００４３】
次に、図９のフローチャートを参照して、ディスプレイユニット２がコンピュータ本体１に接続した場合の動作例を説明する。この動作例は、図５、６に示した信号の流れに沿ったものである。
【００４４】
予め、ＢＩＯＳまたはユーティリティ２００において、ユーザが設定画面を通じて指定する内容の設定が行われ、ＢＩＯＳ−ＲＯＭ１２０およびＦＲＯＭ（ディスプレイＲＯＭ）３５に記憶される（ステップＳ１０１）。
【００４５】
設定完了後は、接続検出部１８１、１８２において、コンピュータ本体１に対するディスプレイユニット２の状態が監視される（ステップＳ１０３）。コンピュータ本体１に対するディスプレイユニット２の状態に変化が無ければ（ステップＳ１０３のＮＯ）、そのまま監視が継続され、一方、状態に変化が生じた場合（例えば、コンピュータ本体１にディスプレイユニット２が接続された等の状態への変化）があった場合（ステップＳ１０３のＹＥＳ）、接続検出部１８１は、ディスプレイユニット２の接続を示す信号をＥＣ／ＫＢＣ１６０へ伝える（ステップＳ１０４）。
【００４６】
これにより、ＥＣ／ＫＢＣ１６０は、ディスプレイユニット２の離脱状態から接続状態への変化を認識し、ディスプレイユニット２の接続示す情報をレジスタ等を介してＢＩＯＳ１２１へ伝える（ステップＳ１０５）。ＢＩＯＳ１２１は、レジスタ等に書き込まれた情報を読み出して接続への状態変化を認識すると、その旨をＯＳに伝えて必要な処理（解像度の変更など）を要求する（ステップＳ１０６）。例えば、ＩＤ：００１のディスプレイユニットが接続された場合は、解像度を高い解像度であるＸＧＡに切り替える（図８参照）。
【００４７】
ＯＳ１２２に管理されるユーティリティ２００は、設定内容（禁止指定の有無、禁止の条件）に基づき、解像度の変更（切り替え）を禁止すべきか否かを判断する（ステップＳ１０７）。禁止すべきと判断した場合には（ステップＳ１０８のＹＥＳ）、解像度の変更を禁止する（ステップＳ１０９）。一方、禁止すべきでないと判断した場合には（ステップＳ１０８のＮＯ）、解像度の変更を許可する（ステップＳ１１０）。
【００４８】
次に、図１０のフローチャートを参照して、ディスプレイユニット２がコンピュータ本体１から離脱した場合の動作例を説明する。この動作例は、図５、６に示した信号の流れに沿ったものである。
【００４９】
予め、ＢＩＯＳまたはユーティリティ２００において、ユーザが設定画面を通じて指定する内容の設定が行われ、ＢＩＯＳ−ＲＯＭ１２０およびＦＲＯＭ（ディスプレイＲＯＭ）３５に記憶される（ステップＳ２０１）。
【００５０】
設定完了後は、接続検出部１８１、１８２において、コンピュータ本体１に対するディスプレイユニット２の状態が監視される（ステップＳ２０２）。ディスプレイユニット２の状態に変化が無ければ（ステップＳ２０３のＮＯ）、そのまま監視が継続され、一方、着脱の状態に変化が生じた場合（例えば、コンピュータ本体１からディスプレイユニット２が離脱された等の状態への変化）があった場合（ステップＳ２０３のＹＥＳ）、接続検出部１８２は、コンピュータ本体１からディスプレイユニット２の離脱を示す信号を主コントローラ３４へ伝える（ステップＳ２０４）。
【００５１】
これにより、主コントローラ３４は、ディスプレイユニット２の接続状態から離脱状態への変化を認識し、切り替え情報をＦＲＯＭ３５から呼び出す（ステップＳ２０５）。主コントローラ３４は、設定内容（禁止指定の有無、禁止の条件）に基づき、解像度の切り替えを禁止すべきか否かを判断する（ステップＳ２０６）。禁止すべきと判断した場合には（ステップＳ２０６のＹＥＳ）、解像度の切り替えを禁止する（ステップＳ２０７）。一方、禁止すべきでないと判断した場合には（ステップＳ２０６のＮＯ）、解像度の切り替えを許可する（ステップＳ２０８）。
【００５２】
このように本実施形態によれば、ディスプレイユニットがコンピュータ本体に接続された場合に、認証を行い、接続されたディスプレイユニットに応じた所定の解像度に切り替えることで、セキュリティを確保しつつ、各ディスプレイユニットの接続毎に解像度を切り替えることなく、使用することができる。また、ディスプレイユニットがコンピュータ本体から取り外された場合に、低い解像度に切り替えることで、ディスプレイユニットのバッテリの消費を押さえることができる。
【００５３】
（その他の実施形態）
図１１は、図８で説明したディスプレイユニット毎の設定情報に、輝度調整の有無の設定、表示カラーの設定を加えたものである。このように、各ディスプレイユニット（ＩＤ：００１〜００４）ごとに任意の設定を割り当てることができる。例えば、ディスプレイユニット（ＩＤ：００１）がコンピュータ本体から取り外された場合は、輝度調整が有りで設定されているので、輝度調整を行う。この場合、ディスプレイユニット（ＩＤ：００１）がコンピュータ本体から取り外されると、解像度を低く設定するので、同じ輝度であると明るくユーザに感じてしまうため、少し輝度を押さえるように設定するとよい。また、ディスプレイユニット（ＩＤ：００１）をコンピュータ本体に接続した場合も、ディスプレイユニット（ＩＤ：００１）は、輝度調整が有りで設定されているので、輝度調整を行う。この場合、ディスプレイユニット（ＩＤ：００１）をコンピュータ本体に接続すると、解像度が高く設定されるので、同じ輝度であると暗くユーザに感じてしまうため、少し輝度を上げるように設定するとよい。
【００５４】
また、表示カラーについても、ディスプレイユニット（ＩＤ：００１）をコンピュータ本体に接続した場合、表示カラーを１６ｂｉｔに変更する。ディスプレイユニット（ＩＤ：００１）がコンピュータ本体から取り外された場合は、解像度の場合と同様に、設定されている表示カラーよりも１つ小さい表示カラーに変更する。ディスプレイユニット（ＩＤ：００１）の場合であれば、設定されている表示カラーが１６ｂｉｔであるので、１つ小さい８ｂｉｔに変更する。
【００５５】
さらに、別の実施形態として、図１２には、タブレットＰＣではないデタッチャブル・パーソナルコンピュータを示した。
【００５６】
ディスプレイユニットは、ヒンジ６Ａ及び６Ｂにより、コンピュータ本体に対して開放位置と閉塞位置との間を回動自在に取り付けられている。ディスプレイユニットはまた、ヒンジ６Ａ及び６Ｂにより、コンピュータ本体に対して着脱が可能なように当該コンピュータ本体と結合される。
【００５７】
このようなタブレットＰＣではないデタッチャブル・パーソナルコンピュータにおいても上述した実施形態と同様の効果を奏することができる。
【００５８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５９】
【図１】本発明の一実施形態に係るタブレット型のデタッチャブル・パーソナルコンピュータの外観を示す斜視図。
【図２】図１中に示されるデタッチャブル・パーソナルコンピュータのタブレットスタイル時を示す斜視図。
【図３】図１中に示されるコンピュータ本体のシステム構成を示すブロック図。
【図４】図１中に示されるディスプレイユニットのシステム構成を示すブロック図。
【図５】ディスプレイユニットがコンピュータ本体に接続した場合の信号の流れを説明するための図。
【図６】ディスプレイユニットがコンピュータ本体から離脱した場合の信号の流れを説明するための図。
【図７】図５中に示されるユーティリティの設定部により実現される基本設定画面の例を示す図。
【図８】設定内容の例を示す模式図。
【図９】ディスプレイユニットがコンピュータ本体に接続した場合の動作例を示すフローチャート。
【図１０】ディスプレイユニットがコンピュータ本体から離脱した場合の動作例を示すフローチャート。
【図１１】設定内容の例を示す模式図。
【図１２】タブレットＰＣではないデタッチャブル・パーソナルコンピュータを示した斜視図。
【符号の説明】
【００６０】
１…デタッチャブル・パーソナルコンピュータ（電子機器）、２…コンピュータ本体（電子機器本体）、６Ａ、６Ｂ…ヒンジ、８Ａ、８Ｂ…無線接続部、１０…コンピュータ、１１…サブディスプレイ、１６…タッチパッド、１７…ＬＣＤ、３１…ＬＣＤコントローラ、３２…タッチパネル、３３…タッチパネルコントローラ、３４…主コントローラ、３５…ＦＲＯＭ、３６…ＳＤＲＡＭ、３９…バッテリ、１１１…ＣＰＵ、１１３…主メモリ、１１４…グラフィクスコントローラ、１１４ａ…ＶＲＡＭ、１２０…ＢＩＯＳ−ＲＯＭ、１２１…ＢＩＯＳ、１２２…ＯＳ、１３０…ＨＤＤ、１８１、１８２…接続検出部、２００…ユーティリティ、２０１…設定部、２０２…制御部。
【図１】
2007272366.tif 000003
【図２】
2007272366.tif 000004
【図３】
2007272366.tif 000005
【図４】
2007272366.tif 000006
【図５】
2007272366.tif 000007
【図６】
2007272366.tif 000008
【図７】
2007272366.tif 000009
【図８】
2007272366.tif 000010
【図９】
2007272366.tif 000011
【図１０】
2007272366.tif 000012
【図１１】
2007272366.tif 000013
【図１２】
2007272366.tif 000014